(57)【特許請求の範囲】
【請求項１】
遊技機を制御するためのプログラムを記憶させたＲＯＭを有する論理演算回路として構成され、遊技内容を司る制御基盤と、
上蓋と下蓋とを有し、前記制御基盤を収納する収納ケースと、
前記上蓋及び前記下蓋の一方に固定された弾性拘止片と、前記上蓋及び前記下蓋の他方に設けられた係合爪と、ロック片とを有し、前記弾性拘止片と前記係合爪とが係合することで前記上蓋及び前記下蓋を合体させ、前記ロック片を操作して前記弾性拘止片と前記係合爪との係合を解除することで前記上蓋及び前記下蓋を開放する着脱手段と、を少なくとも含み構成された遊技機において、
往復動片と歩進機構とを有し、前記上蓋及び前記下蓋の開放回数をカウントする機械式カウント手段と、
前記カウント手段がカウントしたカウント数を前記収納ケースの外部から視認できるように表示するカウント数表示手段と、を備え、
前記下蓋には、前記往復動片が上下運動できるように、壁で囲まれた往復動空間が設けられると共に、前記往復動空間の壁上部には前記係合爪が設けられ、
前記カウント手段は、前記下蓋を破壊しない限り分離できないように、前記下蓋内部に固定され、
前記往復動片は、前記往復動空間内において前記カウント手段が有するばねの付勢力により、上方に付勢されており、
前記上蓋及び前記下蓋が合体する場合には、前記弾性拘止片と前記係合爪とが係合すると共に、前記往復動片は前記往復動空間に進入する前記弾性拘止片によって押し下げられ、
前記上蓋及び前記下蓋が開放する場合には、前記弾性拘止片と前記係合爪との係合が解除されて前記弾性拘止片が前記往復動空間から退出すると共に、前記往復動片は前記付勢力により押し上げられ、
前記往復動片が押し下げられるとき、又は前記往復動片が押し上げられるときの何れかのときに、前記歩進機構が動作して前記カウント数を更新することを特徴とする遊技機。
【請求項２】
前記カウント手段は、前記カウント数をリセットする帰零機構を有していないことを特徴とする請求項１に記載の遊技機。
【発明の詳細な説明】
【０００１】
【発明の属する技術分野】
本発明は、制御基盤の収納ケースの脱着回数を表示することにより、不正を防止する遊技機に関するものである。
【０００２】
【従来の技術】
従来、遊技機を制御するためのマイクロコンピュータのプログラムは、開発製造会社がプログラムを開発してＲＯＭに記憶させた後、第三者機関による試験によって、その開発プログラムが一定の基準に合格するかどうかを決める。そして、その合格プログラムと同一のプログラムが記憶されたＲＯＭを有するマイクロコンピュータが遊技機に搭載されて遊技場に搬入され、健全な遊技が行われる。
【０００３】
【発明が解決しようとする課題】
ところが、遊技場に搬入された遊技機の合格プログラムを改造して、実装ＲＯＭを改造ＲＯＭに交換し、ＣＰＵも市販品に交換し、それらにより巧妙に遊技機を動作させること等が行われている。すなわち、主基盤の収納ケースを封印してあるシールを巧妙にはがして、その痕跡が残らないように巧妙に再接着してあり、また不正ＲＯＭも本物とそっくりな外見なため、外観上で不正交換を発見することはなかなか難しい。これらの行為を防止するための方策が種々検討されているものの、いくら不正行為をすることを難しくしたところで、市場に需要のある限り、不正はなかなかなくならないのが現状である。
【０００４】
【発明が解決しようとする課題】
そこで請求項１又は２記載の発明は、制御基盤の収納ケースの蓋の脱着回数を外部から確認できるように表示し、不正行為を未然に防止し、セキュリティーを確保し、さらに不正を簡素な構成で防止することを課題とするものである。
【０００５】
【課題を解決するための手段】
上記諸課題に鑑み、請求項１記載の発明はなされたものであり、遊技機を制御するためのプログラムを記憶させたＲＯＭを有する論理演算回路として構成され、遊技内容を司る制御基盤と、上蓋と下蓋とを有し、前記制御基盤を収納する収納ケースと、前記上蓋及び前記下蓋の一方に固定された弾性拘止片と、前記上蓋及び前記下蓋の他方に設けられた係合爪と、ロック片とを有し、前記弾性拘止片と前記係合爪とが係合することで前記上蓋及び前記下蓋を合体させ、前記ロック片を操作して前記弾性拘止片と前記係合爪との係合を解除することで前記上蓋及び前記下蓋を開放する着脱手段と、を少なくとも含み構成された遊技機において、往復動片と歩進機構とを有し、前記上蓋及び前記下蓋の開放回数をカウントする機械式カウント手段と、前記カウント手段がカウントしたカウント数を前記収納ケースの外部から視認できるように表示するカウント数表示手段と、を備え、前記下蓋には、前記往復動片が上下運動できるように、壁で囲まれた往復動空間が設けられると共に、前記往復動空間の壁上部には前記係合爪が設けられ、前記カウント手段は、前記下蓋を破壊しない限り分離できないように、前記下蓋内部に固定され、前記往復動片は、前記往復動空間内において前記カウント手段が有するばねの付勢力により、上方に付勢されており、前記上蓋及び前記下蓋が合体する場合には、前記弾性拘止片と前記係合爪とが係合すると共に、前記往復動片は前記往復動空間に進入する前記弾性拘止片によって押し下げられ、前記上蓋及び前記下蓋が開放する場合には、前記弾性拘止片と前記係合爪との係合が解除されて前記弾性拘止片が前記往復動空間から退出すると共に、前記往復動片は前記付勢力により押し上げられ、前記往復動片が押し下げられるとき、又は前記往復動片が押し上げられるときの何れかのときに、前記歩進機構が動作して前記カウント数を更新することを特徴とする遊技機としたものである。監督機関等がカウント数を確認することにより、蓋の脱着回数が変化したかどうかを確認することができ、これにより、不正を容易に発見することができる。カウント手段としては、数取器等の機械的カウンタであることが好適である。
【０００６】
より具体的態様としてなされた請求項２記載の発明は、前記カウント手段は、前記カウント数をリセットする帰零機構を有していないことを特徴とする請求項１に記載の遊技機としたものである。カウント数をリセットされると、蓋の脱着回数が変化したかどうかを確認することができなくなることを防止するためである。
【０００９】
【発明の実施の形態】
次に本発明を一層明確にするために好適な実施形態を図面と共に説明する。図１〜図２に示す第一実施形態に係る不正防止のための遊技機の構成について説明する。弾球遊技機等を含む遊技機自体の構成については周知であるので割愛し、不正防止の構成について説明する。図１に示す通り、収納ケース１は、論理演算回路として構成され遊技内容を司る主基盤３を格納するものであり、これは、遊技機の裏面（図示せず）に設置され、透明プラスチック製の上蓋５と、金属製の下蓋７とからなり、矢印Ａに示すように、上蓋５が脱着可能に下蓋７に固定できる構造になっている。
【００１０】
図１に示す通り、上蓋５の裏側の端部には、弾性拘止片９がボルト１０で固定され、ロック片１１で矢印Ｂの方向にたわむようにされている。収納ケース１の下蓋７には公知の構成を備えた数取器１３がプラスチック溶着又は接着剤等により強力に固定されている。また数取器１３は外部上部からその数字輪１５を視認できるように構成されている。すなわち、収納ケース１には切欠１７が設けられ、かつ、数取器１３の表面には１つの数字行だけが見えるようにするガラス窓１８が設けられることにより、上方から数字を透視できるようになっている。数取器１３は下蓋７の端部内部に溶着又は接着されており、下蓋７を破壊しない限り分離できないようにされている。数取器１３の往復動片１９が上下運動できるように壁２３ａ，壁２３ｂによって囲まれた往復動空間２５が設けられている。壁２３ａ の上部には、弾性拘止片９を係止できる係合爪２７が往復動片１９の上方に設けられている。往復動片１９は、スライド口２０を貫通して延びだしており、また、ばね２９で常に上方に付勢されており、上蓋５が開いている場合、往復動片１９は、上方位置に存在し、上蓋５が閉じている場合、下方位置に存在している。歩進機構３０の下端からは、固定部３３が固定された往復動片１９を支持するとともにその上限位置において固定部３３と係合することによりストッパの役割を果たす支持片３１が上方に延び出している。固定部３３から抱擁片３５が延び出している。その抱擁片３５の両端部は、一対のノッチ３７に係合されている。また帰零機構３９（リセット機構とも呼ぶ）が働かないように、それがストッパ４１で固定されている。なお、最初から帰零機構３９がないもの、又はそれを除外したものでも構成可能である。そして、数取器１３は、数字輪１５の示す数値が「００００」から「９９９９」に至るように構成されているが、ストッパ４３（図２参照）により、「９９９９」から「００００」に回帰しないように阻止している。なお、ここでいう数取器１３は機械式カウンタとして動作するものである。
【００１１】
次に第一実施形態の動作を説明すると、弾性拘止片９と係合爪２７を係合させ、上蓋５と下蓋７とを合体させる。そうすると、弾性拘止片９が往復動片１９を押し下げ、固定部３３及び抱擁片３５がそれと一体的に押し下げられて、ノッチ３７が回動させられる。従って、歩進機構３０が動作して数字輪１５が１歩進して、数字が「００００」から「０００１」となる。このとき、収納ケース１の外部から数字輪１５の数を視認可能である。一方、不正な手段でＲＯＭを交換しようとして、ロック片１１を操作して弾性拘止片９と係合爪２７との係合を解除して上蓋５を開けると、往復動片１９、固定部３３及び抱擁片３５が一体的に押し上げられて、ノッチ３７が反対方向に回動させられる。この場合、数字輪１５は何ら歩進しない。不正者が不正な手段でＲＯＭを交換した後、下蓋７を閉めて上蓋５と合体させると、今度は、上述したような動作で歩進機構３０が動作して数字輪１５が１歩進して、数字が「０００１」から「０００２」となる。これにより、下蓋７が上蓋５に装着される毎に、往復動片１９の往動運動を行わせることにより、数字輪１５を歩進させるのである。したがって、ガラス窓１８に表示された数字輪１５の数字が不正行為の証拠となりえるので、不正行為が未然に防止できることとなる。なお、往復動片１９の往動運動に代えて、復動運動により、数字輪１５を歩進させる構成とすることも可能である。
【００１２】
次に第二実施形態を説明する。この第ニ実施形態は第一実施形態に係る不正防止のための遊技機の構成を若干変更したものである。即ち、図３（ａ）（ｂ）に示す通り、数取器１３に代えて、一往復によりカウントアップする３桁のレバー付カウンタ１３’とし、開閉構造の一端部をヒンジ結合５０（又は蝶番による結合でも可能である）とし、他端部を板ばね部とノッチの一体構造となったノッチロック９’とし上蓋５’と下蓋７’とを着脱自在な構造としたものである。ノッチロック９’はガイド５１で案内され、下蓋７の内側に固定された突起２７’と係合できるようにされている。その動作は第一実施形態とほぼ同様であるのでその説明は割愛することとする。なお、本実施形態の構成要素で第一実施形態のものに対応するものについては、その説明を省略し、その番号に「’」を付して単に図示するに止めることとする。
【００１３】
次に図４ないし図８に示す第三実施形態の第一の特徴は、上述の実施形態が機械カウンタであることに代えて、電子的なカウンタ１５７としたことである。また、第ニの特徴は、収納ケース１０１の上蓋１０５の開閉を蓋開放スイッチ１６１、蓋閉鎖スイッチ１６３の操作に基づいて、電気アクチュエータの一例である電気ロック装置１０９を駆動することにより開閉可能としたことである。以下、第三実施形態の詳細な構成を説明する。図４は、遊技を司る電子制御装置１３０のブロック図であり、この電子制御装置１３０は論理演算回路１３２、及びこれとは独立した独立論理演算回路１５２とを含むものである。論理演算回路１３２は、Ｉ／Ｏポート１３３、これに接続されたＣＰＵ１３４，ＲＯＭ１３５，ＲＡＭ１３６，カウンタ１３７，タイマ１３８、及び電源回路１３９等を備えている。独立論理演算回路１５２は、Ｉ／Ｏポート１５３、これに接続されたＣＰＵ１５４，ＲＯＭ１５５，ＲＡＭ１５６，カウンタ１５７，タイマ１５８、及び内部電源回路１５９等を備えている。電源回路１３９から切替回路１４０を介して内部電源回路１５９に電源を供給されるようになっている。切替回路１４０は、電源回路１３９から内部電源１５９に供給される電源が休日、夜間等において遮断された場合でも、内部電源回路１５９への電源を確保する機能を果たす一例を示すものであり、ダイオード１４１と、抵抗１４２と、コンデンサ１４３と、充電電池１４４とからなり、前述したように電源回路１３９が遮断された場合でも、充電電池１４４から内部電源回路１５９に電源を供給できるようにされているものである。論理演算回路１３２及び独立論理演算回路１５２とは同一の主基盤１０３に設置され、かつ、独立論理演算回路１５２は鉄でできた保護ケース１６０で覆われている。なお、場合により、独立論理演算回路１５２等は、主基盤１０３の上に設けた別の基盤に設置しても良い。なお、本実施形態では、内部電源回路１５９から電気ロック装置１０９にも電源が供給されているが、これを電源を供給しないようにして、休日や夜間等には電気ロック装置１０９が働かないように構成することも可能である。
【００１４】
そして、Ｉ／Ｏポート１５３には、蓋開放１６１がスイッチ検出回路１６２を介して接続され、ＣＰＵ１５４に蓋開放信号が入力されるようになっている。 また、Ｉ／Ｏポート１５３には、蓋閉鎖スイッチ１６３がスイッチ検出回路１６５を介して接続され、ＣＰＵ１５４に蓋閉信号が入力されるようになっている。また、Ｉ／Ｏポート１５３には、表示制御回路１６７を介してＬＣＤ（液晶表示装置）１６９が接続されて、ＣＰＵ１５４から表示制御信号が出力されるようになっている。さらに、Ｉ／Ｏポート１５３には、駆動制御回路１７１を介して、電気ロック装置１０９が接続され、ロック信号又はロック解除信号が出力されるようになっている。
【００１５】
次に図５〜図７に示す電気ロック装置１０９の構造について説明する。収納ケース１０１は図示せぬ着脱部材（例えば、ロック、ねじ又は蝶番等の種々の部材）により、遊技機に着脱自在に取付けられている。電気ロック装置１０９は、上蓋内側に固定されたノッチロック２００と、電磁アクチュエータとしてのプランジャーマグネット３００からなるものである。そして、ノッチロック２００は、ノッチ２０１と、これを有する本体２０２と、それに設けた斜面２０３と、本体２０２を上蓋１０５に固定するためのねじを含む固定部材２０４からなるものであり、蓋閉鎖スイッチ１６３をオン又はオフさせることができるものである。プランジャーマグネット３００は、スプリング３０１と、巻線３０３と、外周に巻線３０３が巻かれ内部に内部溝３０４を設けたマグネット３０５と、内部溝３０４に収納されたスプリング３０１により付勢されてノッチ２０１に係脱可能なロッド３０７と、プランジャーマグネット３００を下蓋１０７に固定するためのねじを含む固定部３０９と、からなるものである。通常、図５に示す通り、ノッチロック２００が、蓋閉鎖スイッチ１６３をオンにしており、この状態においては、プランジャーマグネット３００は、非通電状態であって、スプリング３０１により付勢されてノッチ２０１にロッド３０７が係合し、電気ロック装置１０９により上蓋１０５が下蓋１０７にロックされるようになっている。一方、収納ケース１０１の外部から操作可能に配置された蓋開放スイッチ１６１が押されると、図６に示す通り、プランジャーマグネット３００は通電状態となり、ロッド３０７が左方向に引き戻されて、ノッチ２０１からロッド３０７が離脱されることとなり、上蓋１０５と下蓋１０７のロックが解除されるようになっている。そのとき、ノッチロック２００は、蓋閉鎖スイッチ１６３をオフにしている。再度、収納ケース１０１を閉じると、図５に示す通り、蓋閉鎖スイッチ１６３がオンとなることから、プランジャーマグネット３００は、非通電状態に変わり、スプリング３０１の付勢力により右方向に押し出されたロッド３０７がノッチ２０１に係合し、上蓋１０５と下蓋１０７とがロックされるようになっている。
【００１６】
次に、本実施形態の遊技機の動作について、図８のフロ−チャ−トを用いて説明する。このフロ−チャ−トで示される電子カウンタルーチンは、ＲＯＭ１５５に格納された電子カウンタ用プログラムに基づいて実行されるものであり、定期的にハードウェア割り込みの手法により起動されるものである。まず初期化が行われた後、電子カウンタルーチンの処理が開始されると、蓋開放スイッチ１６１がオンであるかどうか判断する（ステップＳ１）。否定判断されるとそのままリターンに抜け、一方、肯定判断されると、電気ロック装置１０９のロックを解除する（ステップＳ２）。続いて、カウンタ１５７をカウントアップし、脱着回数Ｃを１だけインクリメントし、脱着回数ＣをＲＡＭ１５６の所定番地に格納するとともに、ＬＣＤ１６９に表示する（ステップＳ３）。続いて蓋を開ける場合、蓋閉鎖スイッチ１６３がオフとなるので、タイマ１５８からそのときの蓋の開時間ＴＯを読み出し、ＲＡＭ１５６の所定番地に格納するとともに、ＬＣＤ１６９に表示する（ステップＳ４）。続いて、蓋閉鎖スイッチ１６３がオンとなったかどうか判断し（ステップＳ５）、否定判断されるとそのままリターンに抜け、一方、肯定判断されると、電気ロック装置１０９のロックを動作する（ステップＳ６）。続いて、カウンタ１５７をカウントアップし、脱着回数Ｃを１だけインクリメントし、脱着回数ＣをＲＡＭ１５６の所定番地に格納するとともに、ＬＣＤ１６９に表示する（ステップＳ７）。続いて蓋を閉じる場合、蓋閉鎖スイッチ１６３がオンとなるので、タイマ１５８からそのときの蓋の閉時間ＴＣを読み出し、ＲＡＭ１５６の所定番地に格納するとともに、ＬＣＤ１６９に表示する（ステップＳ８）。なお、内部電源回路１５９があることにより、カウンタ１５７はリセットされないようにしている。
【００１７】
以上述べた通り、不正者が蓋開放スイッチ１６１を操作して、主基盤１０３の収納ケース１０１を開閉すると、脱着回数Ｃが更新されることとなり、検査機関又は監督機関が不正ＲＯＭ及び不正ＣＰＵ等をいとも簡単に検査できるという利点がある。さらに、電気ロック装置１０９が収納ケース１０１に内蔵されて、独立論理演算回路１５２が保護ケース１６０で覆われているので、主基盤１０３及び収納ケ−ス１０１のまるごとの偽造も検査することができるという優れた効果がある。なお、蓋開放スイッチ１６１に代えて暗証番号に入力により、蓋の開閉を可能とすれば、より一層有効である。
【００１８】
以上、本実施形態を説明したが、本発明の技術的思想を逸脱しない範囲において本発明の構成を適宜改変することができることは無論であり、このような改変事項も、本発明の技術的範囲に属するものである。例えば、数取器１３は、４桁の数字輪１５からなるが、これを１桁、２桁、３桁等の桁数で構成することも可能である。また、数取器１３の取付位置を上蓋５に、弾性拘止片９を下蓋７に変更する等も可能である。
【００１９】
【発明の効果】
請求項１、２記載の発明によれば、不正者が収納ケースを開けて不正なＲＯＭ交換等の不正行為を行ったとしても、蓋の着脱回数が変化して表示されることにより、不正行為を未然に防止するとともに、検査機関又は監督機関が不正ＲＯＭ等を極めて簡単に発見できるという利点がある。主基盤を含むケ−スのまるごとの偽造も有効に防止できる利点がある。
【図面の簡単な説明】
【図１】本発明第一実施形態の遊技機の開いた状態の収納ケースの部分断面正面図である。
【図２】同収納ケースの下蓋の部分的平面図である。
【図３】（ａ）は第二実施形態の遊技機の収納ケースの閉じた状態の内部構造を示す部分断面正面図、（ｂ）は同開いた状態の内部構造を示す部分断面正面図である。
【図４】第三実施形態の遊技機の電子制御装置のブロック図である。
【図５】第三実施形態の遊技機の収納ケースの電気ロック装置が閉じた状態を示す部分断面正面図である。
【図６】同開いた状態を示す正面図である。
【図７】同電気ロック装置の平面図である。
【図８】第三実施形態の同電子制御装置により実行されるプログラムのフローチャートである。
【符号の説明】
１，１０１    収納ケース
３，１０３    主基盤
５，１０５    上蓋
７，１０７    下蓋
９            弾性拘止片（脱着手段）
９’          ノッチロック（脱着手段）
１０９        電気ロック装置（脱着手段）
１３          数取器（カウント手段）
１３’        レバー付カウンタ（カウント手段）
１５          数字輪（カウント数表示手段）
１８          ガラス窓（カウント数表示手段）
１９          往復動片（脱着回数更新手段）
１５７        カウンタ（カウント手段）
１５２        独立論理演算回路（脱着回数更新手段）
１６９        ＬＣＤ（カウント数表示手段）
【図１】
0004174603.tif 000002
【図２】
0004174603.tif 000003
【図３】
0004174603.tif 000004
【図４】
0004174603.tif 000005
【図５】
0004174603.tif 000006
【図６】
0004174603.tif 000007
【図７】
0004174603.tif 000008
【図８】
0004174603.tif 000009